(57)【要約】【課題】  個々のコマについてユーザ情報を関連付けしておくことで、ユーザが割付をする場合、担当分の範囲のみ商品割付を可能とする媒体レイアウト支援システム等を提供する。【解決手段】  商品情報とユーザ情報を記憶する商品情報データベース３０１とチラシのページ毎の割付情報を記憶する掲載情報データベース３０２にアクセスするページレイアウト装置１０３は、分類領域割付手段１２１と、コマ割付手段１２２と、コマに対する担当者指定に応じて、担当者のユーザ情報を当該コマ情報に関連付けるユーザ権限設定手段１２８、検索要求手段１２３、当該ユーザの担当のコマである割付可能な範囲内で、検索結果から選択した商品情報を指定したコマに配置する商品割付手段１２４を備え、ユーザ権限による割付範囲制限機能を有するページレイアウト処理を行う。【選択図】  図１
2006260132.tif 000002
【特許請求の範囲】
【請求項１】
商品情報と、商品情報データベースに接続可能なユーザ情報を記憶、管理する商品情報データベースと、ページ割付情報を記憶、管理する掲載情報データベースとを有し、前記商品情報及び前記ページ割付情報を提供するサーバに、ネットワークを介して接続され、クライアント端末からなるページレイアウト装置であって、
前記掲載情報データベースは、前記ページレイアウト装置により作成される、情報媒体を構成するページ毎の、互いに関連する複数の商品情報を掲載する分類領域に対応付けられる少なくとも１つの分類情報と、各分類情報に関連付けられる分類領域内のコマに対応付けられる少なくとも１つのコマ情報と、からなるページ割付情報を記憶、管理するデータベースであって、
前記ページ上に指定された分類領域に応じて、前記分類領域の位置サイズを、当該ページに関連付けられる前記分類情報として設定する分類領域割付手段と、
指定された前記分類領域内のコマ割りに応じて、前記分類領域内に商品情報を掲載する少なくとも１つのコマを配置し、前記分類領域に対応する分類情報にコマ数分の前記コマ情報を関連付け、各コマ情報に当該コマの位置サイズを設定するコマ割付手段と、
前記コマに対する割付担当のユーザの指定に応じて、選択された前記割付担当のユーザのユーザ情報を、指定されたコマに対応するコマ情報に関連付け、ユーザ権限を設定するユーザ権限設定手段と、
入力された検索条件を受付け、前記商品情報データベースに対する商品情報の検索要求を前記サーバに送信する検索要求手段と、
ログインしている現ユーザのユーザ情報に関連付けられている割付担当のコマの割付可能な領域内で、前記サーバから取得した検索結果である１つ以上の商品情報群から選択された商品情報を指定されたコマに掲載し、該当するコマ情報に選択された商品情報を関連付ける商品割付手段と、
前記商品割付手段により作成したページ割付情報を、前記掲載情報データベースに対する登録、保持する登録手段と、
前記商品割付手段により作成したページ割付情報に基づき、各コマ情報に関連付ける商品情報を当該コマ情報の位置サイズに配置した割付結果を印刷出力する割付結果出力手段と、
前記商品割付手段により作成したページ割付情報から、前記情報媒体の制作に必要なデータを出力する媒体制作データ出力手段と、
を具備することを特徴とするページレイアウト装置。
【請求項２】
前記ユーザ権限設定手段は、
複数のコマに対して、一括で前記割付担当のユーザを設定することを特徴とする請求項１記載のページレイアウト装置。
【請求項３】
前記商品割付手段は、
当該ユーザの商品割付担当外のコマに対して、表示を行うが、商品割付の許可を与えないことを特徴とする請求項１記載のページレイアウト装置。
【請求項４】
前記媒体制作データ出力手段は、
前記情報媒体の制作に必要なデータとして、前記商品情報データベースから、前記コマ情報に関連付けられた前記商品情報を取得し、テキストデータとして出力することを特徴とする請求項１記載のページレイアウト装置。
【請求項５】
前記商品情報は、
商品のスペックデータである文字情報、及び／又は前記商品の画像データである素材情報であることを特徴とする請求項１記載のページレイアウト装置。
【請求項６】
クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、
前記商品情報データベースに、前記商品情報データベースに接続可能なユーザ情報を保持し、
前記掲載情報データベースは、前記ページレイアウト装置により作成される、情報媒体を構成するページ毎の、互いに関連する複数の商品情報を掲載する分類領域に対応付けられる少なくとも１つの分類情報と、各分類情報に関連付けられる分類領域内のコマに対応付けられる少なくとも１つのコマ情報と、からなるページ割付情報を記憶、管理するデータベースであって、
前記ページレイアウト装置は、
前記ページ上に指定された分類領域に応じて、前記分類領域の位置サイズを、当該ページに関連付けられる前記分類情報として設定する分類領域割付手段と、
指定された前記分類領域内のコマ割りに応じて、前記分類領域内に商品情報を掲載する少なくとも１つのコマを配置し、前記分類領域に対応する分類情報にコマ数分のコマ情報を関連付け、各コマ情報に当該コマの位置サイズを設定するコマ割付手段と、
前記コマに対する割付担当のユーザの指定に応じて、選択された前記割付担当のユーザのユーザ情報を、指定されたコマに対応するコマ情報に関連付け、ユーザ権限を設定するユーザ権限設定手段と、
入力された検索条件を受付け、前記商品情報データベースに対する商品情報の検索要求を前記サーバに送信する検索要求手段と、
ログインしている現ユーザのユーザ情報に関連付けられている割付担当のコマの割付可能な領域内で、前記サーバから取得した検索結果である１つ以上の商品情報群から選択された商品情報を指定されたコマに掲載し、該当するコマ情報に選択された商品情報を関連付ける商品割付手段と、
前記商品割付手段により作成したページ割付情報を、前記掲載情報データベースに対する登録、保持する登録手段と、
前記商品割付手段により作成したページ割付情報に基づき、各コマ情報に関連付ける商品情報を当該コマ情報の位置サイズに配置した割付結果を印刷出力する割付結果出力手段と、
前記商品割付手段により作成したページ割付情報から、前記情報媒体の制作に必要なデータを出力する媒体制作データ出力手段と、
を具備することを特徴とする媒体レイアウト支援システム。
【請求項７】
コンピュータを請求項１から請求項５のいずれかに記載のページレイアウト装置として機能させるプログラム。
【請求項８】
コンピュータを請求項１から請求項５のいずれかに記載のページレイアウト装置として機能させるプログラムを記録した記録媒体。
【発明の詳細な説明】
【技術分野】
【０００１】
本発明は、ネットワークを利用した、商品情報データベースと連携した媒体レイアウト支援システムに係り、特に、ユーザ権限による割付範囲制限機能に関する。媒体は、チラシ、カタログ等をいう。
【背景技術】
【０００２】
従来から、カタログ、チラシなど大量の商品情報データに関わる印刷物の編集制作に適した、データベースを具備したページレイアウトシステムが実用化されている（例えば、特許文献１）。チラシ制作時には、ページレイアウトへの商品割り付け指示作業が必要であり、1枚のチラシ上に掲載する商品に応じて複数の担当者が存在している。
【０００３】
更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００４】
また、複数の商品担当によって商品の選定を可能とすることにより、カタログ、チラシを作成する際に、初期段階における統括立案作業の負担を軽減する媒体作成支援装置が存在する（例えば、特許文献２）。
【０００５】
【特許文献１】特開２００４−２２０５４８号公報
【特許文献２】特開２００４−２９５２９２号公報
【発明の開示】
【発明が解決しようとする課題】
【０００６】
しかしながら、従来のシステムでは、複数の担当が同一ページに掲載を行う必要がある場合、どこが自分の担当でどの範囲に商品を掲載していいか判断がつき難く、他の担当領域まで掲載してしまう問題があった。その結果、チラシページレイアウト作業のページレイアウト作業をやり直す必要が生じ、その後のＤＴＰ作業等にも影響を及ぼすことなり、作業効率の低下を招く原因となっていた。
【０００７】
本発明は、以上の点に鑑みてなされたものであり、ページ上に既に配置された個々のコマについて、ユーザ情報を関連付けしておくことで、ユーザが割付をする場合は、担当分の範囲のみ商品割付を可能とする媒体レイアウト支援システム等を提供することを目的とする。
【課題を解決するための手段】
【０００８】
前述した目的を達成するために第１の発明は、商品情報と、商品情報データベースに接続可能なユーザ情報を記憶、管理する商品情報データベースと、ページ割付情報を記憶、管理する掲載情報データベースとを有し、前記商品情報及び前記ページ割付情報を提供するサーバに、ネットワークを介して接続され、クライアント端末からなるページレイアウト装置であって、前記掲載情報データベースは、前記ページレイアウト装置により作成される、情報媒体を構成するページ毎の、互いに関連する複数の商品情報を掲載する分類領域に対応付けられる少なくとも１つの分類情報と、各分類情報に関連付けられる分類領域内のコマに対応付けられる少なくとも１つのコマ情報と、からなるページ割付情報を記憶、管理するデータベースであって、前記ページ上に指定された分類領域に応じて、前記分類領域の位置サイズを、当該ページに関連付けられる前記分類情報として設定する分類領域割付手段と、指定された前記分類領域内のコマ割りに応じて、前記分類領域内に商品情報を掲載する少なくとも１つのコマを配置し、前記分類領域に対応する分類情報にコマ数分のコマ情報を関連付け、各コマ情報に当該コマの位置サイズを設定するコマ割付手段と、前記コマに対する割付担当のユーザの指定に応じて、選択された前記割付担当のユーザのユーザ情報を、指定されたコマに対応するコマ情報に関連付け、ユーザ権限を設定するユーザ権限設定手段と、入力された検索条件を受付け、前記商品情報データベースに対する商品情報の検索要求を前記サーバに送信する検索要求手段と、ログインしている現ユーザのユーザ情報に関連付けられている割付担当のコマの割付可能な領域内で、前記サーバから取得した検索結果である１つ以上の商品情報群から選択された商品情報を指定されたコマに掲載し、該当するコマ情報に選択された商品情報を関連付ける商品割付手段と、前記商品割付手段により作成したページ割付情報を、前記掲載情報データベースに対する登録、保持する登録手段と、前記商品割付手段により作成したページ割付情報に基づき、各コマ情報に関連付ける商品情報を当該コマ情報の位置サイズに配置した割付結果を印刷出力する割付結果出力手段と、前記商品割付手段により作成したページ割付情報から、前記情報媒体の制作に必要なデータを出力する媒体制作データ出力手段と、を具備することを特徴とするページレイアウト装置である。
【０００９】
また、前記商品割付手段は、当該ユーザの商品割付担当外のコマに対して、表示を行うが、商品割付の許可を与えないことが望ましい。
また、前記ユーザ権限設定手段は、複数のコマに対して、一括で前記割付担当のユーザを設定することが望ましい。
また、前記媒体制作データ出力手段は、前記情報媒体の制作に必要なデータとして、前記商品情報データベースから、前記コマ情報に関連付けられた前記商品情報を取得し、テキストデータとして出力することが望ましい。
【００１０】
第１の発明によるページレイアウト装置は、商品情報と、商品情報データベースに接続可能なユーザ情報を記憶、管理する商品情報データベースと、情報媒体を構成するページ毎の、互いに関連する複数の商品情報を掲載する分類領域に対応付けられる少なくとも１つの分類情報と、各分類情報に関連付けられる分類領域内のコマに対応付けられる少なくとも１つのコマ情報と、からなるページ割付情報を記憶、管理する掲載情報データベースとを有し、商品情報及びページ割付情報を提供するサーバに、ネットワークを介して接続され、ページ上に指定された分類領域に応じて、分類領域の位置サイズを、当該ページに関連付けられる分類情報として設定し、指定された分類領域内のコマ割りに応じて、分類領域内に商品情報を掲載する少なくとも１つのコマを配置し、分類領域に対応する分類情報にコマ数分のコマ情報を関連付け、各コマ情報に当該コマの位置サイズを設定し、コマに対する割付担当のユーザの指定に応じて、選択された割付担当のユーザのユーザ情報を、指定されたコマに対応するコマ情報に関連付け、ユーザ権限を設定し、入力された検索条件を受付け、商品情報データベースに対する商品情報の検索要求をサーバに送信し、ログインしている現ユーザのユーザ情報に関連付けられている割付担当のコマの割付可能な領域内で、サーバから取得した検索結果である１つ以上の商品情報群から選択された商品情報を指定されたコマに掲載し、該当するコマ情報に選択された商品情報を関連付け、作成したページ割付情報を、掲載情報データベースに対する登録、保持する。また、作成したページ割付情報に基づき、各コマ情報に関連付ける商品情報を当該コマ情報の位置サイズに配置した割付結果を印刷出力し、更に、作成したページ割付情報から、情報媒体の制作に必要なデータを出力する。
【００１１】
「商品情報」は、商品の文字情報（スペックなど）や、商品の素材情報（画像情報）等からなる。
「ページ割付情報」は、情報媒体を構成するページ毎の、互いに関連する複数の商品情報を掲載する分類領域の位置とサイズとを有する少なくとも１つの分類情報と、分類情報に関連付けられる分類領域内の少なくとも１つの掲載枠であるコマの位置とサイズと関連付けられる商品情報を有するコマ情報と、からなる。
「情報媒体（媒体）」は、具体的には、チラシ、カタログ等をいう。紙に印刷されるか、デジタルデータで利用されるかは問わない。
「ページ」は情報媒体を構成し、ページ上に少なくとも１つ以上の互いに関連する複数の商品情報を掲載するまとまった領域である「分類領域」を有する。各分類領域内に、コマ割りに応じて、少なくとも１つ以上の「コマ（掲載領域）」を有し、「コマ（掲載領域）」には、１つの商品情報が掲載される。
【００１２】
第１の発明では、ページ上に既に配置された個々のコマについて、ユーザ情報を関連付けしておくことで、ユーザが割付をする場合は、担当分の範囲のみ商品の割付ができる。
また、誤って他担当分の領域まで割り付けしてしまうような間違いがなくなり、チラシページレイアウト作業の効率化が図れ、かつレイアウト作業の結果をその後のＤＴＰ作業に無駄なくスムーズに利用できるチラシ情報制作システムを提供できる。
【００１３】
また、第２の発明は、クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、前記商品情報データベースに、前記商品情報データベースに接続可能なユーザ情報を保持し、前記掲載情報データベースは、前記ページレイアウト装置により作成される、情報媒体を構成するページ毎の、互いに関連する複数の商品情報を掲載する分類領域に対応付けられる少なくとも１つの分類情報と、各分類情報に関連付けられる分類領域内のコマに対応付けられる少なくとも１つのコマ情報と、からなるページ割付情報を記憶、管理するデータベースであって、前記ページレイアウト装置は、前記ページ上に指定された分類領域に応じて、前記分類領域の位置サイズを、当該ページに関連付けられる前記分類情報として設定する分類領域割付手段と、指定された前記分類領域内のコマ割りに応じて、前記分類領域内に商品情報を掲載する少なくとも１つのコマを配置し、前記分類領域に対応する分類情報にコマ数分のコマ情報を関連付け、各コマ情報に当該コマの位置サイズを設定するコマ割付手段と、前記コマに対する割付担当のユーザの指定に応じて、選択された前記割付担当のユーザのユーザ情報を、指定されたコマに対応するコマ情報に関連付け、ユーザ権限を設定するユーザ権限設定手段と、入力された検索条件を受付け、前記商品情報データベースに対する商品情報の検索要求を前記サーバに送信する検索要求手段と、ログインしている現ユーザのユーザ情報に関連付けられている割付担当のコマの割付可能な領域内で、前記サーバから取得した検索結果である１つ以上の商品情報群から選択された商品情報を指定されたコマに掲載し、該当するコマ情報に選択された商品情報を関連付ける商品割付手段と、前記商品割付手段により作成したページ割付情報を、前記掲載情報データベースに対する登録、保持する登録手段と、前記商品割付手段により作成したページ割付情報に基づき、各コマ情報に関連付ける商品情報を当該コマ情報の位置サイズに配置した割付結果を印刷出力する割付結果出力手段と、前記商品割付手段により作成したページ割付情報から、前記情報媒体の制作に必要なデータを出力する媒体制作データ出力手段と、を具備することを特徴とする媒体レイアウト支援システムである。
【００１４】
第２の発明は、第１の発明のページレイアウト装置と、データベース管理を行い、商品情報、ページ割付情報を提供するサーバから構成される媒体レイアウト支援システムに関する発明である。
【００１５】
第３の発明は、コンピュータを第１の発明のページレイアウト装置として機能させるプログラムである。
第４の発明は、コンピュータを第１の発明のページレイアウト装置として機能させるプログラムを記録した記録媒体である。
【００１６】
上述のプログラムをＣＤ−ＲＯＭ等の記録媒体に保持させて流通させてもよいし、このプログラムを通信回線を介して送受することもできる。
【発明の効果】
【００１７】
本発明は、ページ上に既に配置された個々のコマについて、ユーザ情報を関連付けしておくことで、ユーザが割付をする場合は、担当分の範囲のみ商品割付を可能とする媒体レイアウト支援システム等を提供することができる。
【発明を実施するための最良の形態】
【００１８】
以下に、添付図面を参照しながら、本発明に係る媒体レイアウト支援システム等の好適な実施形態について詳細に説明する。なお、以下の説明および添付図面において、略同一の機能構成を有する構成要素については、同一の符号を付することにより重複説明を省略することにする。
【００１９】
図１は、本発明の本実施の形態に係る媒体レイアウト支援システム１００の概略構成を示す図である。
【００２０】
図１は、媒体レイアウト支援システム１００の１例であり、図１に示すように、媒体レイアウト支援システム１００は、サーバ１０１、複数のクライアント端末１０３等が、ネットワーク１０９を介して接続されて構成される。
【００２１】
ネットワーク１０９は、インターネット、ローカルエリアネットワーク（ＬＡＮ）、社内ＬＡＮ等のネットワークであり、有線、無線を問わない。
【００２２】
サーバ１０１は、サーバコンピュータ等であり、データベース管理手段１１１を有する。データベース管理手段１１１は、データベースエンジンであり、クライアント端末（ページレイアウト装置）１０３からの要求に応じて、商品情報データベース３０１、及び掲載情報データベース３０２への検索、参照、登録、削除等の各種要求に対する該当処理を行う。
【００２３】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３は、ページレイアウト装置であり、サーバ１０１の商品情報データベース３０１を利用してチラシ、カタログ等の媒体制作時における、ページレイアウト及び商品割り付け処理を行う。
尚、媒体とは、情報媒体であり、具体的には、商品カタログ、チラシ等をいう。紙に印刷されるか、デジタルデータで利用されるかは問わない。本実施形態では、媒体としてチラシを用いて説明する。
【００２４】
クライアント端末（ページレイアウト装置）１０３は、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、ユーザ権限設定手段１２８等を有する。
【００２５】
分類領域割付手段１２１は、チラシ（媒体）を構成するページ上に、互いに関連する複数の商品情報を掲載する分類毎の領域である分類領域を設定する。
コマ（掲載領域）割付手段１２２は、各分類領域内のコマ割りを設定する。コマは、１商品情報を掲載する掲載領域である。
検索要求手段１２３は、商品情報データベース３０１に対する商品情報の検索要求をサーバ１０１に送信する。
商品割付手段１２４は、検索結果である商品情報群から、選択された商品情報を指定されたコマに割り付ける。
割付情報記録手段１２５は、作成した割付情報を、サーバ１０１を介して、掲載情報データベース３０２に登録、保持する。
割付結果出力手段１２６は、割付情報に基づき、割付結果を印刷出力する。
媒体制作データ出力手段１２７は、割付情報から、チラシ（媒体）の制作に必要なテキストデータを出力する。
ユーザ権限設定手段１２８は、各コマに対して、指定された担当ユーザを設定する。担当ユーザ設定が行われると、各担当ユーザが本媒体レイアウト支援システム１００を利用した場合、自担当のコマが割付可能となり、担当外の領域については、表示（例えば、グレー表示）はされるが、割付できない。
【００２６】
尚、本実施の形態の媒体レイアウト支援システム１００は、ＷＷＷ（Ｗｏｒｌｄ  Ｗｉｄｅ  Ｗｅｂ）技術を用いて実現し、サーバ１０１はＷｅｂサーバを、クライアント端末１０３はＷｅｂブラウザを搭載し、サーバ１０１とクライアント端末１０３は、夫々、Ｗｅｂサーバ、Ｗｅｂブラウザを介して、データの送受信を行う。
【００２７】
次に、サーバ１０１のハードウェア構成を説明する。図２は、サーバ１０１のハードウェア構成図である。
【００２８】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２９】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３０】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３１】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う各種データベース管理処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３２】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３３】
通信制御部２０４は、通信制御装置、通信ポート等を有し、サーバ１０１とネットワーク１０９間の通信を媒介する通信インタフェースであり、ネットワーク１０９を介して、サーバ１０１と、クライアント端末１０３間の通信制御を行う。
【００３４】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３５】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３６】
印刷部２０７は、プリンタであり、印刷出力処理を行う。
【００３７】
システムバス２０９は、各装置間の制御信号、データ信号等の授受を媒介する経路である。
【００３８】
次に、図３を参照しながら、サーバ１０１の記憶部２０２が保持する情報について説明する。図３は、記憶部２０２が保持する情報を示す図である。
【００３９】
記憶部２０２内には、複数の商品情報データベース３０１、掲載情報データベース３０２、及び制御プログラム３９１、アプリケーションプログラム３９２等が格納されている。
【００４０】
図４は、商品情報データベース３０１と掲載データベース３０２のデータ構造を示す図である。
図４に示すように、商品情報データベース３０１は、複数の商品情報３１０、複数のユーザ情報３３０等からなる。尚、サーバ１０１が管理する商品情報データベース３０１は、必要に応じて、複数存在してもよい。
【００４１】
商品情報３１０は、商品情報ＩＤ、商品のスペック情報３１１（文字情報）、商品の素材情報３１２（画像情報）等からなる。
ユーザ情報３３０は、当該商品情報データベース３０１に接続可能な登録ユーザの情報であり、ユーザ情報ＩＤ（ユーザＩＤ）、パスワード等を有する。
【００４２】
尚、商品情報データベース３０１のデータ構成は、この構成に限られるものではない。
【００４３】
掲載情報データベース３０２は、クライアント端末（ページレイアウト装置）１０３により作成される割付情報３２０からなる。
割付情報３２０は、チラシ等の媒体を構成するページ２１毎のページレイアウトの情報であり、マスタ情報３２１、少なくとも１つの分類情報３２２、少なくとも１つのコマ情報３２３等からなる。
【００４４】
図５は、ページレイアウトの情報のデータ構成を示す図である。
図５に示すように、作成するページレイアウトの情報は、ページ２１、分類領域２２、コマ（掲載領域）２３の階層構造でデータを管理する。
ページ２１はチラシ（情報媒体）を構成し、ページ２１上に少なくとも１つ以上の互いに関連する複数の商品情報を掲載するまとまった領域である分類領域２１を有する。各分類領域２２内に、コマ割りに応じて、少なくとも１つ以上のコマ（掲載領域）２３を有し、コマ（掲載領域）２３には、１つの商品情報３１０が掲載される。
【００４５】
マスタ情報３２１は、マスタＩＤ、チラシ（媒体）名、サイズ、発刊日等からなる。
【００４６】
分類情報３２２は、互いに関連する複数の商品情報３１０（スペック情報３１１、素材情報３１２等の商品値組情報）を掲載する分類領域２２の位置サイズ情報であり、マスタ情報３２１から関連付けられる少なくとも１つ以上の分類情報３２２からなる。分類情報３２２は、マスタＩＤ、分類ＩＤ、分類領域サイズ、分類領域位置情報（例えば、分類領域左下座標、分類領域座標右上座標）等からなる。
【００４７】
コマ情報３２３は、各分類領域２２内に割り付けられるコマ（掲載領域）２３の位置サイズ情報及び掲載する商品情報ＩＤであり、分類情報３２２から関連付けられる少なくとも１つ以上のコマ情報３２３からなる。コマ情報３２３は、分類ＩＤ、コマＩＤ、コマサイズ、コマ位置情報（例えば、コマ左下座標、コマ座標右上座標）、掲載する商品情報ＩＤ、担当のユーザ情報ＩＤ等からなる。
尚、掲載情報データベース３０２のデータ構成は、この構成に限られるものではない。
【００４８】
制御プログラム３９１は、サーバ１０１の各構成部分を駆動制御するプログラムであり、ＯＳ（オペレーティングシステム）に相当する。
アプリケーションプログラム３９２は、サーバ１０１が行うデータ管理手段１１１に相当する実行可能プログラムである。
【００４９】
次に、図６を参照しながら、クライアント端末１０３（ページレイアウト装置）１０３のハードウェア構成を説明する。図６は、クライアント端末１０３（ページレイアウト装置）１０３のハードウェア構成図である。
【００５０】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００５１】
尚、記憶部４０２には、プログラムに関しては、ＯＳ（オペレーティングシステム）に相当する制御プログラム３９１や、本コンピュータを適用するクライアント端末（ページレイアウト装置）１０３が行う後述の処理に相当する（図７、図８参照）実行可能プログラムであり、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、ユーザ権限設定手段１２８等を該当するページレイアウト処理プログラムである。これらの各プログラムコードは、制御部４０１により必要に応じて読み出されてＲＡＭに移され、ＣＰＵに読み出されて各種の手段として実行される。
【００５２】
次に、図７、図８を参照しながら、クライアント端末（ページレイアウト装置）１０３のページレイアウト処理の処理動作について説明する。図７、図８は、クライアント端末（ページレイアウト装置）１０３のページレイアウト処理の処理手順を示すフローチャートである。
【００５３】
クライアント端末１０３の記憶部４０２には、アプリケーションプログラム３９２であるページレイアウト処理プログラムがインストールされており、以下のクライアント端末１０３のページレイアウト処理（分類領域割付手段１２１、コマ（掲載領域）割付手段１２２、検索要求手段１２３、商品割付手段１２４、割付情報記録手段１２５、割付結果出力手段１２６、媒体制作データ出力手段１２７、ユーザ権限設定手段１２８等）は、クライアント１０３の制御部４０１によって行われる。
サーバ１０１の記憶部２０２には、アプリケーションプログラム３９２であるデータベース管理プログラムがインストールされている。以下のサーバ１０１の処理は、このデータベース管理プログラムの制御に従って、サーバ１０１の制御部２０１によって行われる。
【００５４】
まず、ユーザ（例えば、レイアウト作業を統括する管理者）がログインし、ページ全体の分類領域２２、コマ割り、及び担当者等の設定を行うページレイアウト作業のページレイアウト処理の処理手順を説明する。
図９は、分類領域割付、コマ割付及びユーザ権限設定等のページレイアウト処理の画面遷移図である。
【００５５】
クライアント端末（ページレイアウト装置）１０３の制御部４０１は、サーバ１０１にアクセスし、商品情報データベース３０１にログイン要求を行う（ステップＳ７０１）。
【００５６】
例えば、クライアント端末１０３から、サーバ１０１の所定のＵＲＬを指定してサーバ１０１にアクセスし、サーバ１０１の制御部２０１は、ログイン画面データをクライアント端末１０３に送信する。クライアント端末１０３の制御部４０１は、ログイン画面６０に従って、入力されたユーザＩＤ、パスワード、サーバ名をサーバ１０１に送信する。
【００５７】
サーバ１０１の制御部２０１は、受け取ったユーザＩＤ、パスワード等からユーザ認証を行い、正しくユーザ認証された場合、指定されたサーバ名に応じた商品情報データベース３０１を設定、接続する（ステップＳ７０２）。
【００５８】
クライアント端末１０３の制御部４０１は、レイアウト画面１０を表示する（ステップＳ７０３）。制御部４０１は、サーバ１０１から掲載情報データベース３０２の既存のチラシの割付情報３２０を読み込み、読み込んだ情報からレイアウト画面１０を作成し、表示する。
【００５９】
図１１は、レイアウト画面１０を示す図である。
図１１に示すように、レイアウト画面１０には、チラシ（媒体）ツリー１１、チラシリスト１２、レイアウトエリア１３、掲載リスト１４、メニュバー１５等が表示される。
【００６０】
チラシ（媒体）ツリー１１は、マスタ情報３２１に基づいたチラシ（媒体）のツリー構造を表す。
チラシリスト１２は、チラシ（媒体）ツリー１１の中から選択されたフォルダに含まれるチラシ情報１６を示すチラシ一覧を表示する。チラシ情報１６は、割付情報３２０のマスタ情報３２１であるチラシ名、紙サイズ、発刊日等からなる。
レイアウトエリア１３は、レイアウト作業を行うエリアであり、分類割付２５、コマ割付２６、権限設定２７等の制御ボタンを有する。
掲載リスト１４は、レイアウトエリア１３に表示されたページ２１のコマ（掲載領域）２３に配置された商品情報ＩＤ、コマサイズ等を示すコマ情報レコード１７からなる。
メニュバー１５は、ページレイアウト装置の様々な操作を行うためのメニュを呼び出すインタフェースである。例えば、商品情報データベース３０１に対して検索を行う場合は、メニュバー１５の「検索」をプルダウンして検索ダイアログを呼び出す。
【００６１】
クライアント端末（ページレイアウト装置）１０３の制御部４０１は、チラシリスト１２からの所望するチラシ情報１６の選択により、該当するマスタ情報３２１に基づき、レイアウトエリア１３上に作業を行うページ２１を表示する（ステップＳ７０４）（図９（１）掲載ページの表示）。
【００６２】
選択したチラシが割付領域設定済みの場合（ステップＳ７０５のＹｅｓ）、ステップＳ７０９の割付領域の表示処理へ移行する。
【００６３】
割付領域設定を行う場合（ステップＳ７０５のＮｏ）、制御部４０１は、ページ２１に分類領域２２を設定する（ステップＳ７０６）（図９（２）分類領域の設定）。
【００６４】
例えば、利用者は、分類割付ボタン２５を押下し、レイアウトエリア１３上に表示されたページ２１に、任意に分類領域枠を配置することにより、所望する少なくとも１つの分類領域２２を指定する。
制御部４０１は、指定された少なくとも１つの分類領域２２に基づいて、指定された分類領域枠を表示し、当該ページに関連付けられる少なくとも１つの分類情報３２２を作成する。分類情報３２２として、関連付けられるマスタＩＤ、分類ＩＤ、分類領域サイズ、分類領域位置情報等を設定する。
ステップＳ７０６の処理は、分類領域割付手段１２１に相当する。
【００６５】
制御部４０１は、各分類領域２２内のコマ割りを設定する（ステップＳ７０７）（図９（３）分類領域２２内のコマ割り設定）。
【００６６】
例えば、利用者はコマ割付ボタン２６を押下すると、表示された「縦分割数」×「横分割数」からなる複数種類の掲載枠の掲載枠リストから、選択した任意の掲載枠を、レイアウトエリア１３の指定された分類領域２２にドラッグ＆ドロップすることにより、コマ割りを指定する。
制御部４０１は、指定されたコマ割りに応じて、レイアウトエリア１３上の当該分類領域２２にコマ２３を表示し、該当する分類情報３２２にコマ数分の関連付けられるコマ情報３２３を作成する。コマ情報３２３として、分類ＩＤ、コマＩＤ、コマサイズ、コマ位置情報等を設定する。
ステップＳ７０７の処理は、コマ（掲載領域）割付手段１２２に相当する。
【００６７】
制御部４０１は、作成した各コマ２３に対して、指定された担当者を設定する（ステップＳ７０８）（図９（４）ユーザ権限設定）。
【００６８】
例えば、利用者は権限設定ボタン２７を押下すると、制御部４０１は、複数の担当者３２からなる担当者一覧３１からなる担当者設定画面３０を表示する。利用者は、担当者に応じて少なくとも１つのコマ２３を選択し、担当者一覧３１から所望する担当者３２（例えば、担当者Ｘ）を指定する。尚、コマ２３は、複数選択して一括で担当者を指定できる。また、１つのコマ２３に対して、複数の担当者３２を指定できる。
制御部４０１は、指定された担当者のユーザ情報３３０を当該コマ２３に関連付けるため、指定された担当者のユーザ情報３３０のユーザ情報ＩＤを当該コマ情報３２３に設定する。
ステップＳ７０８の処理は、ユーザ権限設定手段１２８に相当する。
【００６９】
例えば、レイアウト作業を統括する管理者のユーザがページ全体の分類領域、コマ割り、及び担当者等の設定を行い、その後、担当者のユーザが商品割付を行う場合、一旦、作成した割付情報３２０を掲載情報データベース３０２に登録、保存する。
【００７０】
次に、担当者のユーザがログインし、商品検索、商品割付等のページレイアウト作業を行うページレイアウト処理の処理手順を説明する。
図１０は、ユーザ（担当者）による商品検索、商品割付等のページレイアウト処理の画面遷移図である。
【００７１】
図１０に示すように、ユーザ（例えば、担当者Ｘ）がログインし（図１０（１）商品情報データベース３０１にログイン）、チラシリスト１２から先にコマ割付け、ユーザ権限を設定したチラシを選択する（図１０（２）チラシ選択）。当該処理は、前述した図７のステップＳ７０１乃至ステップＳ７０４の処理に相当する。
【００７２】
選択したチラシが割付領域設定済みで、商品割付を行う場合（ステップＳ７０５のＹｅｓ）、または、ユーザがコマ割付、ユーザ権限設定等を行った場合（ステップＳ７０８）、制御部４０１は、選択されたチラシ情報１６の割付情報３２０に基づき、当該ユーザのユーザ情報３３０に関連付けられるコマ２３を割付可能領域としてレイアウトエリア１３に表示する（ステップＳ７０９）（図１０（３）担当のコマ２３の割付可能領域表示）。
例えば、ユーザ（担当者Ｘ）の場合、レイアウトエリア１３には、担当者Ｘが担当であるコマ２３が通常表示され、商品の割付可能となる。
当該ユーザの担当外のコマ領域（例えば、担当Ｙ、担当Ｚ等）については、表示（例えば、グレー表示）はされるが、商品割付はできない。
【００７３】
制御部４０１は、検索機能により指定された検索条件４１の商品情報検索要求をサーバ１０１に送信する（ステップＳ７１０）（図１０の（４）商品検索）。
利用者は、レイアウト画面１０上のメニュバー１５の「検索」をプルダウンして表示された検索メニュ（図示せず）から検索機能を選択し、制御部４０１は、商品検索画面４０を表示し、指定された検索条件４１の商品情報検索要求を送信する。
【００７４】
サーバ１０１の制御部２０１は、指定された検索条件４１に基づいて、商品情報データベース３０１から商品情報３１０を検索し、検索結果データを送信する（ステップＳ７１１）。
【００７５】
クライアント端末（ページレイアウト装置）１０３の制御部４０１は、受け取った検索結果データである商品情報レコード５２からなる検索結果リスト５１を商品検索結果画面５０に表示する（ステップＳ７１２）（図１０（５）商品検索結果表示）。
ステップＳ７１０からステップＳ７１２の処理は、検索要求手段１２３に相当する。
【００７６】
制御部４０１は、割付可能な担当のコマ２３に対して、商品割付を行う（ステップＳ７１３）（図１０（６）商品割付）。
利用者は、商品検索結果画面５０上の検索結果リスト５１から使用する商品情報レコード５２を選択し、割付可能な担当の割付けたいコマ２３にドラッグ＆ドロップする。
制御部４０１は、選択された商品情報ＩＤを当該コマ情報３２３に設定し、商品情報の割付けを行う。
制御部４０１は、商品情報の割付結果をレイアウトエリア１３に表示する（ステップＳ７１４）（図１０（７）割付結果表示）。
ステップＳ７１３、ステップＳ７１４の処理は、商品割付手段１２４に相当する。
【００７７】
商品割付が全て終了すると、制御部４０１は、作成した割付情報３２０を掲載情報データベース３０２に登録、保存要求を送信する（ステップＳ７１５）。
サーバ１０１の制御部２０１は、受け取った割付情報３２０を掲載情報データベース３０２に登録、保存する（ステップＳ７１６）。
ステップＳ７１５、ステップＳ７１６の処理は、割付情報記録手段１２５に相当する。
【００７８】
また、制御部４０１は、割付結果出力手段１２６に相当する割付結果出力機能として、サーバ１０１に対して、商品情報データベース３０１に対するコマ情報３２３の関連付けられる商品情報ＩＤの商品情報取得要求を送信し、サーバ１０１から取得した商品情報３１０の項目値（スペック情報３１１及び／又は素材情報３１２）を各コマ２３に配置して作成した割付結果データを印刷出力する。この出力物は、後の工程であるＤＴＰ作業の作業者への指示書として利用することができる。
【００７９】
また、制御部４０１は、媒体制作データ出力手段１２７に相当する媒体制作データ出力機能として、同様にサーバ１０１から取得した商品情報３１０の項目値（スペック情報３１１及び／又は素材情報３１２）からテキストデータを作成し、出力する。出力したテキストデータは、ＤＴＰ作業で流し込みに利用することができる。
【００８０】
以上説明したように、本発明の実施の形態によれば、商品情報と、商品情報データベースに接続可能なユーザ情報を記憶管理する商品情報データベース３０１と、チラシのページ毎の割付情報３２０を記憶管理する掲載情報データベース３０２にアクセスするページレイアウト装置１０３は、ページ２１上に互いに関連する複数の商品情報３１０を掲載する分類領域２２を設定する分類領域割付手段１２１と、分類領域２２内のコマ割りを設定するコマ割付手段１２２と、コマに対する担当ユーザの指定に応じて、担当ユーザに該当するユーザ情報３３０を当該コマ情報３２３に関連付け、ユーザ権限を設定するユーザ権限設定手段１２８、商品情報データベース３０１に対する商品情報検索要求を行う検索要求手段１２３と、当該ユーザが担当のコマ２３である割付可能な範囲内で、取得した検索結果から選択した商品情報３１０を指定したコマ２３に配置し、割付情報３２０を作成する商品割付手段１２４と、割付情報３２０を、掲載情報データベース３０２に登録、保持する割付情報記録手段１２５と、割付情報３２０に基づき、各コマ情報３２３に関連付ける商品情報３１０を当該コマ情報３２０の位置サイズに配置した割付結果を印刷出力する割付結果出力手段１２６と、割付情報３２０から情報媒体の制作に必要なデータを出力する媒体制作データ出力手段１２７を備え、ユーザ権限による割付範囲制限機能を有するページレイアウト処理を行う。
【００８１】
これにより、ページ上に既に配置された個々のコマに対して、ユーザ情報を関連付けしておくことで、ユーザが割付をする場合は、担当分の範囲のみ商品の割付ができる。
誤って他担当分の領域まで割り付けしてしまうような間違いがなくなり、チラシページレイアウト作業の効率化が図れ、かつレイアウト作業の結果をその後のＤＴＰ作業に無駄なくスムーズに利用できるチラシ情報制作システムを提供できる。
【００８２】
尚、本実施の形態では、サーバ１０１に、データベース管理手段１１１、商品情報データベース３０１、掲載情報データベース３０２等を有し、クライアント端末（ページレイアウト装置）１０３に、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、ユーザ権限設定手段１２８等を有し、これらの実行可能プログラムであるページレイアウトプログラムを起動し、サーバ１０１側のデータベース管理手段１１１を介して、商品情報データベース３０１や掲載情報データベース３０２をアクセスしながら、ページレイアウト処理を行うが、サーバ側に、ページレイアウトプログラムを搭載し、クライアント端末１０３からサーバ１０１のアプリケーションとしてページレイアウト手段を起動してもよい。
【００８３】
尚、図７、図８等に示す処理を行うプログラムはＣＤ−ＲＯＭ等の記録媒体に保持させて流通させてもよいし、このプログラムを通信回線を介して送受することもできる。
【００８４】
以上、添付図面を参照しながら、本発明に係る媒体レイアウト支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８５】
【図１】本実施の形態に係る媒体レイアウト支援システム１００の概略構成を示す図
【図２】サーバ１０１のハードウェア構成図
【図３】記憶部２０２が保持する情報を示す図
【図４】商品情報データベース３０１と掲載情報データベース３０２のデータ構造を示す図
【図５】ページレイアウトの情報のデータ構成を示す図
【図６】クライアント端末（ページレイアウト装置）１０３のハードウェア構成図
【図７】クライアント端末（ページレイアウト装置）１０３のページレイアウト処理の処理手順を示すフローチャート
【図８】クライアント端末（ページレイアウト装置）１０３のページレイアウト処理の処理手順を示すフローチャート
【図９】分類領域割付、コマ割付及びユーザ権限設定等のページレイアウト処理の画面遷移図
【図１０】ユーザ（担当者）による商品検索、商品割付等のページレイアウト処理の画面遷移図
【図１１】レイアウト画面１０を示す図
【符号の説明】
【００８６】
１００………媒体レイアウト支援システム
１０１………サーバ
１０３………クライアント端末（ページレイアウト装置）
１０９………ネットワーク
１１１………データベース管理手段
１２１………分類領域割付手段
１２２………コマ割付手段
１２３………検索要求手段
１２４………商品割付手段
１２５………割付情報記録手段
１２６………割付結果出力手段
１２７………媒体制作データ出力手段
１２８………ユーザ権限設定手段
２０１、４０１………制御部
２０２、４０２………記憶部
３０１………商品情報データベース
３０２………掲載情報データベース
３１０………商品情報
３１１………スペック情報（文字情報）
３１２………素材情報（画像情報）
３２０………割付情報
３２１………マスタ情報
３２２………分類情報
３２３………コマ情報
３３０………ユーザ情報
１２………チラシリスト
１３………レイアウトエリア
１４………掲載リスト
２１………ページ
２２………分類領域
２３………コマ（掲載領域）
２５………分類割付
２６………コマ割付
２７………権限設定
【図１】
2006260132.tif 000003
【図２】
2006260132.tif 000004
【図３】
2006260132.tif 000005
【図４】
2006260132.tif 000006
【図５】
2006260132.tif 000007
【図６】
2006260132.tif 000008
【図７】
2006260132.tif 000009
【図８】
2006260132.tif 000010
【図９】
2006260132.tif 000011
【図１０】
2006260132.tif 000012
【図１１】
2006260132.tif 000013